(57)【要約】【課題】モーターとアンプ部の配置の自由度を高めることで、アームをコンパクト化することを目的とする。【解決手段】アーム本体およびモーターを有し回動軸周りに回動可能なアームと、前記アームに設けられ、前記モーターを駆動する駆動回路を有するアンプ部と、を備え、前記アンプ部または前記モーターの少なくとも一部は、前記回動軸の軸方向から見て、前記アーム本体の外部に位置する、ロボット。【選択図】図４
2018039098.tif 000002
【特許請求の範囲】
【請求項１】
アーム本体およびモーターを有し回動軸周りに回動可能なアームと、
前記アームに設けられ、前記モーターを駆動する駆動回路を有するアンプ部と、を備え、
前記アンプ部または前記モーターの少なくとも一部は、前記回動軸の軸方向から見て、前記アーム本体の外部に位置する、
ロボット。
【請求項２】
前記アンプ部の少なくとも一部は、前記回動軸の軸方向から見て、前記アーム本体の外部に位置する、
請求項１に記載のロボット。
【請求項３】
前記アーム本体には、前記回動軸と直交する方向に開口する第１の開口部が設けられ、
前記アンプ部の少なくとも一部は、前記第１の開口部に位置する、
請求項２に記載のロボット。
【請求項４】
前記アンプ部は、前記モーターに設けられている、
請求項２又は３に記載のロボット。
【請求項５】
前記アンプ部は、前記モーターに着脱可能である、
請求項４に記載のロボット。
【請求項６】
前記アンプ部は、前記アンプ部を一方向に移動させることで前記モーターから取り外される、
請求項５に記載のロボット。
【請求項７】
前記アンプ部は、固定部材により前記モーターに設けられ、
前記アーム本体は、前記固定部材の軸線に沿って前記回動軸と直交する方向に開口する第２の開口部を有する、
請求項４〜６の何れか一項に記載のロボット。
【請求項８】
前記アームは、前記回動軸の軸方向から見て、前記モーターおよび前記アンプ部を覆うアームカバーを有する、
請求項１〜７の何れか一項に記載のロボット。
【請求項９】
前記アームカバーと、前記アーム本体との間には、隙間が設けられている、
請求項８に記載のロボット。
【発明の詳細な説明】
【技術分野】
【０００１】
この発明は、ロボットに関する。
【背景技術】
【０００２】
産業分野などで複数のアームを有する多関節型ロボットが使用されている。多関節ロボットにおいて、アームの内部に、モーターとともにモーターを駆動する駆動回路を設けることが知られている（特許文献１参照）。
【先行技術文献】
【特許文献】
【０００３】
【特許文献１】米国特許第７３４７１２０号明細書
【発明の概要】
【発明が解決しようとする課題】
【０００４】
アームの内部に駆動回路（アンプ部）を設けるとアームのサイズが大きくなり、結果としてアームの可動範囲が狭くなるという問題があった。また、モーターおよび駆動回路は発熱体であるため、モーターに加えて駆動回路をアームの内部に配置するとアーム内の温度が高まりやすく、駆動効率が低下するという問題があった。
【０００５】
本発明は、モーターとアンプ部の配置の自由度を高めることで、アームをコンパクト化することを目的とする。本発明は、アーム内のモーターおよびアンプ部の配置を工夫することで、アーム内部の冷却効率を高めたロボットを提供することを目的とする。
【課題を解決するための手段】
【０００６】
上記課題の少なくとも一つを解決するために本発明の一態様のロボットは、アーム本体およびモーターを有し回動軸周りに回動可能なアームと、前記アームに設けられ、前記モーターを駆動する駆動回路を有するアンプ部と、を備え、前記アンプ部または前記モーターの少なくとも一部は、前記回動軸の軸方向から見て、前記アーム本体の外部に位置する。
この構成によれば、アンプ部およびモーターがアーム本体の内側に内包される場合と比較して、アンプ部およびモーターの配置の自由度を高めるとともにアーム本体をコンパクト化することができる。また、アーム本体の外部に位置するアンプ部又はモーターのメンテナンス性を高めることができる。加えて、アーム本体の外部に位置するアンプ部又はモーターから効率的に放熱できる。
【０００７】
上述のロボットにおいて、前記アンプ部の少なくとも一部は、前記回動軸の軸方向から見て、前記アーム本体の外部に位置する構成としてもよい。
この構成によれば、アンプ部の放熱効率を高めるとともにアンプ部のメンテナンス性を良好とすることができる。
【０００８】
上述のロボットにおいて、前記アーム本体には、前記回動軸と直交する方向に開口する第１の開口部が設けられ、前記アンプ部の少なくとも一部は、前記第１の開口部に位置する、構成としてもよい。
この構成によれば、アンプ部を第１開口部からアーム本体の外部に露出させることができる。
【０００９】
上述のロボットにおいて、前記アンプ部は、前記モーターに設けられている、構成としてもよい。
この構成によれば、アンプ部とモーターとを一体的に構成して、アームの組み立て工程を簡素化することができる。
【００１０】
上述のロボットにおいて、前記アンプ部は、前記モーターに着脱可能である、構成としてもよい。
この構成によれば、アーム本体の外部に位置するアンプ部をモーターから取り外すことができる。
【００１１】
上述のロボットにおいて、前記アンプ部は、前記アンプ部を一方向に移動させることで前記モーターから取り外される、構成としてもよい。
この構成によれば、アンプ部をモーターから容易に取り外すことができる。
【００１２】
上述のロボットにおいて、前記アンプ部は、固定部材により前記モーターに設けられ、
前記アーム本体は、前記固定部材の軸線に沿って前記回動軸と直交する方向に開口する第２の開口部を有する、構成としてもよい。
この構成によれば、第２の開口部に工具を挿入することで固定部材による固定を容易に解除できる。
【００１３】
上述のロボットにおいて、前記アームは、前記回動軸の軸方向から見て、前記モーターおよび前記アンプ部を覆うアームカバーを有する、構成としてもよい。
この構成によれば、モーターおよびアンプ部に外部から負荷が加わることを抑制できる。
【００１４】
上述のロボットにおいて、前記アームカバーと、前記アーム本体との間には、隙間が設けられている、構成としてもよい。
この構成によれば、アーム本体の外部に位置するアンプ部又はモーターの直下に隙間を形成することができ、アンプ部又はモーターから効果的に放熱できる。
【図面の簡単な説明】
【００１５】
【図１】第１の実施形態のロボットを示す斜視図。
【図２】第１の実施形態の第２アームの分解斜視図。
【図３】第１の実施形態の第２アームの第２軸周りの断面図。
【図４】第１の実施形態の第２アームの平面図。
【図５】第１の実施形態の第１のモーターユニットの側面図。
【図６】第１の実施形態のアーム本体の部分斜視図。
【図７】変形例１の第２アームの平面図。
【図８】変形例１の第２のモーターユニットの側面図。
【図９】変形例２のモーターユニットの側面図。
【図１０】変形例３のモーターユニッの側面図。
【図１１】第２実施形態の第２アームの平面図。
【図１２】第３実施形態の第２アームの平面模式図である。
【発明を実施するための形態】
【００１６】
（第１実施形態）
以下、第１実施形態について、図面を参照して説明する。
以下の説明で用いる図面は、特徴をわかりやすくするために、便宜上特徴となる部分を拡大して示している場合があり、各構成要素の寸法比率などが実際と同じであるとは限らない。また、各図にはＸ−Ｙ−Ｚ座標系を示した。以下の説明において、必要に応じて各座標系に基づいて各方向の説明を行う。なお、本明細書において、＋Ｚ方向を上方として、各部の説明を行うが、ロボットの姿勢はこの姿勢に限定されない。
なお、本明細書において、「ある方向（指定した方向）に沿う」とは、厳密に指定した方向に沿う場合に加えて、指定した方向に対して４５°未満の範囲で傾いた方向に沿う場合も含む。これに対し、本明細書において、「ある方向（指定した方向）における」とは、厳密な方向を指定する場合に用いる。
【００１７】
図１は、本実施形態に係るロボット１の模式的な斜視図である。
本実施形態のロボット１は、スカラロボットである。ロボット１は、支持台Ｂと、第１アームＡ１と、第２アームＡ２と、作動軸体３を備える。
支持台Ｂは、床面や壁面等の設置面に設置される。第１アームＡ１は、支持台Ｂに支持されている。また、第１アームＡ１は、支持台Ｂの内部に設けられたモーターユニット１９によって第１軸ＡＸ１周りに回動する。第２アームＡ２は、第１アームＡ１により第２軸ＡＸ２周りに回動可能に支持されている。作動軸体３は、第２アームＡ２に支持されている。作動軸体３は、第３軸ＡＸ３周りに回動可能且つ第３軸ＡＸ３の軸方向に並進可能である。
【００１８】
本実施形態において、ロボット１の支持台Ｂは、Ｘ−Ｙ平面に平行な床面に固定されている。また、第１軸ＡＸ１、第２軸ＡＸ２および第３軸ＡＸ３は、ともに上下方向（Ｚ軸方向）に平行である。ロボット１の第１アームＡ１および第２アームＡ２は、ＸＹ平面と平行に動作する。本明細書において、第２軸ＡＸ２の軸方向から見た状態を平面視とする。
【００１９】
図２は、第２アームＡ２の分解斜視図である。
第２アームＡ２は、アーム本体４０と、アームカバー４１と、第１のモーターユニット１１と、第２のモーターユニット１２と、第３のモーターユニット１３と、第２軸（回動軸）ＡＸ２に沿って延びる回動軸体２と、第３軸（作動軸）ＡＸ３に沿って延びる作動軸体３と、を有する。
【００２０】
アーム本体４０は、アームカバー４１、第１〜第３のモーターユニット１１、１２、１３、作動軸体３および回動軸体２を保持する。アーム本体４０は、下カバー４５を有する。下カバー４５は、第１〜第３のモーターユニット１１、１２、１３が上方から固定される底板部４５ａと、底板部４５ａの外縁から上側に突出する側壁部４５ｂと、を有する。下カバー４５は、第２アームＡ２の下側を覆う。
【００２１】
アームカバー４１は、平面視で、第１〜第３のモーターユニット１１、１２、１３（すなわち複数のモーター２０および複数のアンプ部３０（図４参照））を覆う。アームカバー４１は、フレーム体４２およびカバー本体４３を有する。フレーム体４２は、板金加工で形成されている。フレーム体４２は、回動軸体２の側部において上方に立設する立設部４２ａと、立設部４２ａの上端から水平方向に延びる上端部４２ｂと、を有する。フレーム体４２は、立設部４２ａの下端において下カバー４５に固定されている。カバー本体４３は、フレーム体４２および下カバー４５に固定されている。
【００２２】
図３は、第２アームＡ２の第２軸ＡＸ２周りの断面図である。
アームカバー４１と下カバー４５との間には、水平方向に延びる隙間Ｄが設けられている。すなわち、アームカバー４１および下カバー４５が囲む第２アームＡ２の内部空間は、隙間Ｄにおいて、外部に対して上下方向に開口している。隙間Ｄは、第１のモーターユニット１１のアンプ部３０の直下に位置する。
また、アームカバー４１には、第１のモーターユニット１１のアンプ部３０の直上に通気口４１ａが設けられている。通気口４１ａは、アームカバー４１および下カバー４５が囲む第２アームＡ２の内部空間を外部と連通させる。
【００２３】
図４は、第２アームＡ２の平面図である。図４において、アームカバー４１は取り外されている。
第１のモーターユニット１１は、アーム本体４０に固定されている。第１のモーターユニット１１は、アーム本体４０に対して回動軸体２を回動駆動する。回動軸体２は、第１アームＡ１に固定されているため、回動軸体２が回動駆動されることで、第２アームＡ２が第１アームＡ１に対して第２軸ＡＸ２周りに回動する。
【００２４】
第２のモーターユニット１２は、作動軸体３を上下方向に移動（昇降）させる。作動軸体３には、ボールネジ溝（図示略）が設けられている。また、作動軸体３は、ボールネジ溝に嵌め合わされたボールネジナット（図示略）を介してアーム本体４０に支持されている。第２のモーターユニット１２は、タイミングベルト１５を介してボールネジナットを回動することで作動軸体３を昇降する。
【００２５】
第３のモーターユニット１３は、タイミングベルト１６を介して作動軸体３を第３軸ＡＸ３周りに回動する。すなわち、作動軸体３は、第２のモーターユニット１２により上下方向に移動し、第３のモーターユニット１３により軸中心に回動する。
【００２６】
図５は、第１のモーターユニット１１の側面図である。
本実施形態において、第１〜第３のモーターユニット１１、１２、１３は、同様の構成を有する。以下の第１のモーターユニット１１に関して説明する構成は、特に指定した場合を除いて、第２および第３のモーターユニット１２、１３についても同様である。
【００２７】
第１のモーターユニット１１は、モーター２０と、モーター２０を駆動する駆動回路が実装されたアンプ基板３１を有するアンプ部３０と、を有する。
モーター２０は、シャフト２１の軸方向をＺ軸方向に揃えて配置されている。モーター２０は、シャフト２１の軸方向から見て、矩形状を有する。モーター２０は、略直方体形状を有する。モーター２０は、シャフト２１と、モーター本体２２と、エンコーダー２５と、を有する。
アンプ部３０は、モーター２０に設けられている（取り付けられている）。また、アンプ部３０は、モーター２０に着脱可能である。また、アンプ部３０には、側方に突出するケーブル３７が設けられている。なお、複数のアンプ部３０のうち何れかは、アーム本体４０に直接的に設けられていてもよく、またモーター２０およびアーム本体４０にそれぞれ固定されていてもよい。
【００２８】
モーター本体２２およびエンコーダー２５は、シャフト２１の軸方向に積み重ねて固定されている。モーター本体２２は、シャフト２１を回動させる。本実施形態のモーター本体２２は、三相交流モーターである。なお、モーター本体２２は、他のモーターであってもよい。モーター本体２２は、内部構造をシャフト２１の径方向外側から囲むモーターハウジング２２ａを有する。
【００２９】
エンコーダー２５は、シャフト２１の回動角を検知する。エンコーダー２５は、磁気式エンコーダーであっても、光学式エンコーダーであっても、これらの組み合わせであってもよい。エンコーダー２５は、内部構造をシャフト２１の径方向外側から囲むエンコーダーハウジング２５ａを有する。
【００３０】
モーター２０は、シャフト２１の軸方向に沿って縦長の略直方体形状を有する。モーター２０の外周面は、シャフト２１の周囲を囲む第１〜第４の面２０ａ、２０ｂ、２０ｃ、２０ｄ（第２の面２０ｂは、図４参照）と、シャフト２１の軸方向と直交する底面１７および上面１４と、を有する。シャフト２１は、底面１７から下方に突出している。
図４に示すように、第２および第３のモーターユニット１２、１３の第１の面２０ａは、ともに第３軸ＡＸ３側（すなわち、＋Ｙ方向）を向く。また、第１のモーターユニット１１の第１の面２０ａは、第２および第３のモーターユニット１２、１３の第１の面２０ａと反対側を向く。
【００３１】
図５に示すように、モーター２０の第１〜第４の面２０ａ、２０ｂ、２０ｃ、２０ｄには、それぞれ４つのネジ穴（着脱部）２３が設けられている。４つのネジ穴２３のうち２つのネジ穴２３は、エンコーダーハウジング２５ａに設けられ、残る２つのネジ穴２３は、モーターハウジング２２ａに設けられている。各面に設けられた４つのネジ穴２３は、それぞれの面にアンプ部３０を固定するための着脱部として機能する。本実施形態の第１〜第３のモーターユニット１１、１２、１３は、ともに第１の面２０ａに、アンプ部３０が固定されている。したがって、アンプ部３０は、第１の面２０ａに設けられた４つのネジ穴２３にそれぞれネジ（固定部材）２４を挿入して固定されている。また、本実施形態において、第２〜第４の面２０ｂ、２０ｃ、２０ｄにそれぞれ設けられたネジ穴２３は、使用されない。
【００３２】
本実施形態の第１のモーターユニット１１のモーター（第１のモーター）２０は、第１の面（第１の位置）２０ａに、モーター２０を駆動するためのアンプ部（第１のアンプ部）３０を着脱可能とする４つのネジ穴（第１の着脱部）２３が設けられている。また、第１のモーターユニット１１のモーター（第１のモーター）２０は、第２〜第４の面（第２〜第４の位置）２０ｂ、２０ｃ、２０ｄに、アンプ部（第１のアンプ部）３０を着脱可能とする４つのネジ穴（第２〜第４の着脱部）２３が設けられている。本実施形態によれば、モーター２０の様々な位置にアンプ部３０を取り付けることができる。したがって、設置スペースに応じて、アンプ部３０の取り付け位置を変えることが可能となり、モーターユニットの共通部品化を図ることができる。
【００３３】
また、本実施形態のモーター２０において、アンプ部３０を取り付けることができる第１〜第４の位置（すなわち、第１〜第４の面２０ａ、２０ｂ、２０ｃ、２０ｄ）は、モーター２０の表面の異なる面に位置する。したがって、アンプ部３０の取り付け位置を変更することで、モーター２０に対するアンプ部３０の方向を変更することができる。
なお、アンプ部３０を取り付けることができる第１〜第４の位置は、モーター２０の表面の同一の面であって、異なる高さであってもよい。
さらに、本実施形態において第１〜第３のモーターユニット１１、１２、１３は、同様のアンプ部３０を有するため、第１のモーターユニット１１のモーター２０に、他のモーターユニットのアンプ部３０を取り付けてもよい。
【００３４】
アンプ部３０は、アンプ基板３１と、ブラケット３２と、アンプカバー３３と、を有する。アンプ部３０は、ブラケット３２を介してモーター２０の第１の面２０ａに固定されている。アンプ部３０には、支持台Ｂから引き回された電源供給用および制御用のケーブルが接続されている。また、アンプ部３０には、モーター２０に接続されモーター２０に電源供給するとともに制御するためのケーブルが接続されている。
【００３５】
アンプ基板３１は、電源から供給された電力を増幅してモーター本体２２に供給する。より具体的には、アンプ基板３１は、モーター本体２２を動作させる際、制御信号に応じたタイミングにおいて、モーター２０が有する三相それぞれのコイル（図示略）に電力を供給する。ブラケット３２は、熱伝導率の高い材料から構成されており、例えばアルミニウムから構成される。
【００３６】
ブラケット３２は、一対の側板部３２ａと、背面板部３２ｂと、第１の脚板部３２ｃと、第２の脚板部３２ｄと、を有する。ブラケット３２は、板金加工で形成されている。
一対の側板部３２ａは、アンプ基板３１を挟んで互いに向かい合っている。一対の側板部３２ａの面方向は、アンプ基板３１の面方向と直交する。一対の側板部３２ａは、鉛直方向に延びている。
【００３７】
ブラケット３２の背面板部３２ｂは、一対の側板部３２ａ同士を繋ぐ。背面板部３２ｂは、アンプ基板３１とモーター２０の第１の面２０ａの間に位置する。背面板部３２ｂは、アンプ基板３１に沿って配置されている。したがって、背面板部３２ｂの面方向は、アンプ基板３１の面方向と一致する。背面板部３２ｂは、伝熱シート３４を介してアンプ基板３１と接触する。一方で、背面板部３２ｂとモーター２０の第１の面２０ａとの間には、隙間が設けられている。
【００３８】
ブラケット３２の第１の脚板部３２ｃは、背面板部３２ｂの上端からモーター２０に向かって延びる。また、第２の脚板部３２ｄは、背面板部３２ｂの下端からモーター２０に向かって延びる。第１の脚板部３２ｃおよび第２の脚板部３２ｄの先端部は、モーター２０の第１の面２０ａと平行となるように折り曲げられており、ネジを挿通させる孔が設けられている。ブラケット３２は、第１および第２の脚板部３２ｃ、３２ｄを挿通するネジ２４をモーター２０の第１の面２０ａのネジ穴２３に挿入することで、モーター２０に固定される。本実施形態において、第１および第２の脚板部３２ｃ、３２ｄは、ブラケット３２の一部である。しかしながら、第１および第２の脚板部３２ｃ、３２ｄは、ブラケット３２と別体であってもよい。その場合は、第１および第２の脚板部３２ｃ、３２ｄは、アンプ部３０とネジ穴（着脱部）２３との間に介在する介在部材として機能する。
【００３９】
ブラケット３２の背面板部３２ｂとアンプ基板３１との間には、伝熱シート３４が介在する。伝熱シート３４は、背面板部３２ｂおよびアンプ基板３１と面接触する。伝熱シート３４は、アンプ基板３１で発生した熱をブラケット３２に伝える。ブラケット３２は、露出する表面積が大きいため、放熱効率に優れている。ブラケット３２は、アンプ基板３１から放熱するためのヒートシンクとして機能する。
【００４０】
（モーターの配置）
次に、アーム本体４０に設けられた第１〜第３のモーターユニット１１、１２、１３の配置について説明する。
図４に示すように、第２軸ＡＸ２の軸方向（Ｚ軸方向）から見て第２軸ＡＸ２と第３軸ＡＸ３とを結ぶ直線を、第１の直線Ｌ１とする。ここで、第１の直線Ｌ１と平行な方向（図４におけるＹ軸方向）を第１の方向Ｄ１とする。また、第１の方向Ｄ１に直交する方向を第２の方向Ｄ２とする。アーム本体４０は、平面視で第１の方向Ｄ１を長手方向とし、第２の方向Ｄ２を短手方向として、一方向（第１の方向Ｄ１）に縦長に形成されている。
【００４１】
第１のモーターユニット１１は、回動軸体２を直接的に駆動する。第１のモーターユニット１１のシャフト２１は、回動軸体２と中心を一致させた状態で接続されている。このため、第１のモーターユニット１１は、回動軸体２の第２軸ＡＸ２上に位置する。また、第１のモーターユニット１１は、第１の直線Ｌ１上に位置する。
【００４２】
第２および第３のモーターユニット１２、１３とは、第２の方向に沿って並んでいる。平面視で、第１の直線Ｌ１で区画されるアーム本体４０の内部の２つの領域のうち、第２のモーターユニット１２は一方側に位置し、第３のモーターユニット１３は、他方側に位置する。
【００４３】
第２および第３のモーターユニット１２、１３は、アーム本体４０に搭載される部品中で、最も重量の大きな部品である。第２軸ＡＸ２を中心として回動する第２アームＡ２において、重量の大きな部品を第２軸ＡＸ２から離して配置すると慣性モーメント（イナーシャ）が大きくなる。また、慣性モーメントが大きくなると、第２アームＡ２の精密な制御が困難となる。第２および第３のモーターユニット１２、１３を第２の方向Ｄ２に沿って並べて配置することで、第２および第３のモーターユニット１２、１３を第１の方向Ｄ１に並べて配置する場合と比較して第２軸ＡＸ２に近づけて配置できる。これにより、第２アームＡ２の慣性モーメントを小さくすることができる。
本実施形態では、３つのモーターユニット１１、１２、１３のうち、２つのモーターユニット（第２および第３のモーターユニット１２、１３）が第２の方向Ｄ２に沿って並んで配置される場合を例示した。しかしながら、全てのモーターユニット１１、１２、１３が、第２の方向Ｄ２に沿って並んで配置されていてもよい。
また、ここでは、各モーターユニット１１、１２、１３の配置について説明した。モーターユニット１１、１２、１３の重量の大部分はモーター２０によるものである。したがって、アンプ部３０の配置に関わらず、モーター２０の配置が上述の配置となっていればよい。すなわち、複数のモーター２０のうち、少なくとも２つのモーター２０が、第２の方向Ｄ２に沿って並んで配置されていればよい。
【００４４】
第１〜第３のモーターユニット１１、１２、１３において、モーター２０とアンプ部３０は、第１の方向Ｄ１に沿って配置されている。すなわち、第１〜第３のモーターユニット１１、１２、１３において、モーター２０に対するアンプ部３０の方向は、第１の方向Ｄ１に沿っている。なお、モーター２０に対するアンプ部３０の方向とは、モーター２０の中心（シャフト２１の中心軸）と、モーター２０の中心から見たアンプ部３０の投影面積の中心と、を結ぶ直線の方向である。第２アームＡ２は、短手方向と一致する第２の方向Ｄ２にスペースを確保しようとすると、第２の方向Ｄ２（すなわち幅方向）に大きくなる。第２アームＡ２は、幅方向に大きくなると可動範囲が狭まる。一方で、第２アームＡ２は、第１の方向Ｄ１を長手方向とするため、第１の方向Ｄ１に沿って収容スペースを確保しやすい。モーター２０とアンプ部３０を第１の方向Ｄ１に沿って配置させることで、第２アームＡ２の長手方向のスペースを有効に活用し、第２アームＡ２が第２の方向Ｄ２に肥大化することを抑制できる。
なお、本実施形態では、第１〜第３のモーターユニット１１、１２、１３において、アンプ部３０は、モーター２０に対して、第１の方向Ｄ１に沿って配置する場合を例示した。しかしながら、アンプ部３０は、モーター２０に対して、第２の方向Ｄ２とは異なる方向に配置されていれば、アンプ部３０の角度に応じて上述の効果を奏することができる。具体的には、アンプ部３０は、モーター２０に対してシャフト２１の中心軸方向（Ｚ軸方向）に配置されていてもよい。
【００４５】
第１〜第３のモーターユニット１１、１２、１３において、モーター２０は、アンプ部３０よりも第２軸ＡＸ２に近い位置に配置されている。より具体的には、平面視においてモーター２０の重心がアンプ部３０の重心よりも第２軸ＡＸ２に近い。第１〜第３のモーターユニット１１、１２、１３において、モーター２０は、アンプ部３０より一般的に重量が大きい。したがって、モーター２０とアンプ部３０とを有する第１〜第３のモーターユニット１１、１２、１３の重心は、モーター２０側に位置する。モーター２０をアンプ部３０に対して第２軸ＡＸ２側に配置することで、第１〜第３のモーターユニット１１、１２、１３の重心を第２軸ＡＸ２に近づけて、慣性モーメントを小さくすることができる。
【００４６】
図４に示すように、平面視で、第１〜第３のモーターユニット１１、１２、１３のアンプ基板３１は、所定の法線方向Ｎ１１、Ｎ１２、Ｎ１３を向く。本実施形態において、アンプ部３０の中心を通過するアンプ基板３１の法線は、モーター２０の中心を通過する。したがって、アンプ基板３１の法線方向Ｎ１１、Ｎ１２、Ｎ１３とモーター２０に対するアンプ部３０の方向とは、一致する。以下、アンプ部３０の法線方向Ｎ１１、Ｎ１２、Ｎ１３は、モーター２０に対するアンプ部３０の方向と同義として説明する。
【００４７】
第１のモーターユニット１１のアンプ基板３１の法線方向Ｎ１１は、第１の方向Ｄ１と非平行である。これにより、ケーブル３７を含めたアンプ部３０を、後段に説明する下カバー４５に設けられた第１の開口部４６の中央に配置できる。
【００４８】
第２のモーターユニット１２のケーブル３７は、第１の直線Ｌ１に対して外側に配置されているため、アームカバー４１（図２参照）と下カバー４５との間で、ケーブル３７が挟み込まれることを抑制する必要がある。このため、ケーブル３７を含めた全体の寸法を第２のモーターユニット１２の寸法とすることが好ましい。第２のモーターユニット１２において、ケーブル３７を含めたアンプ部３０の幅は、モーター２０の幅より大きくなる。なお、ここで幅とは、アンプ基板３１の法線方向Ｎ１２に直交する方向の寸法を意味する。本実施形態において、第２のモーターユニット１２は、アンプ部３０を第１の直線側に向けるように傾けて配置されている。すなわち、第２のモーターユニット１２のアンプ基板３１の法線方向Ｎ１２は、第１の方向Ｄ１と非平行である。法線方向Ｎ１２を第１の方向Ｄ１と非平行とすることで、法線方向Ｎ１２が平行である場合と比較して、ケーブル３７を含む第２のモーターユニット１２全体として、第２の方向Ｄ２に沿う寸法を小さくしやすい。結果として第２アームＡ２の幅寸法（第２の方向Ｄ２に沿う寸法）を小さくできる。
【００４９】
第３のモーターユニット１３は、アンプ基板３１の法線方向Ｎ１３が第１の方向Ｄ１と平行である。これにより、第３のモーターユニット１３は、第２の方向Ｄ２に沿う寸法が小さくなる。すなわち、第２アームＡ２において第３のモーターユニット１３を収納する第２の方向Ｄ２に沿うスペースが小さくなる。結果として第２アームＡ２の第２の方向Ｄ２に沿う寸法を小さくできる。
【００５０】
本実施形態において、第２のモーターユニット１２と第３のモーターユニット１３とは、第２の方向Ｄ２に沿って並んで配置されている。すなわち、第２アームＡ２に設けられる複数のモーター２０のうち２つのモーター２０が、第２の方向Ｄ２に沿って並んで配置されている。
平面視において、第２のモーターユニット１２のモーター２０とアーム本体４０の外縁との、第２の方向Ｄ２における最短の距離ｊ１は、アンプ部３０の厚さより短い。同様に、第３のモーターユニット１３のモーター２０とアーム本体４０の外縁との、第２の方向Ｄ２における最短の距離ｊ２は、アンプ部３０の厚さより短い。これにより、モーター２０とアーム本体４０の外縁との距離を短くして、アーム本体４０の第２の方向Ｄ２に沿う寸法を小さくすることができる。さらに、第２および第３のモーターユニット１２、１３のモーター２０同士の第２の方向Ｄ２における最短の距離Ｊは、アンプ部３０の厚さより短い。これにより、第２および第３のモーターユニット１２、１３のモーター２０同士の距離を短くして、アーム本体４０の第２の方向Ｄ２に沿う寸法を小さくすることができる。
なお、ここでアンプ部３０の厚さとは、平面視で略矩形状のアンプ部３０の２辺のうち短辺の長さであって、本実施形態においては、アンプ基板３１の法線方向Ｎ１２、Ｎ１３におけるアンプ部３０の長さを意味する。また、第２の方向Ｄ２において、アーム本体４０の外縁は、第２アームＡ２の外縁と略一致する。
【００５１】
また、平面視において、第２のモーターユニット１２のモーター２０（第１のモーター）と、第２のモーターユニット１２のモーター２０に対し第３のモーターユニット１３のモーター２０（第２のモーター）と反対側におけるアーム本体４０の外縁と、の第２の方向Ｄ２に沿う最長の距離ｈ１は、アンプ部３０の厚さより短い。同様に、第３のモーターユニット１３のモーター２０（第２のモーター）と、第３のモーターユニット１３のモーター２０に対し第２のモーターユニット１２のモーター２０（第１のモーター）と反対側におけるアーム本体４０の外縁と、の第２の方向Ｄ２に沿う最長の距離ｈ２は、アンプ部３０の厚さより短い。すなわち、複数のモーター（第２および第３のモーターユニット１２、１３のモーター２０）のうち第２の方向Ｄ２において両端に位置するモーター２０と、その外側に位置するアーム本体４０の外縁との第２の方向Ｄ２における最長の距離ｈ１、ｈ２は、アンプ部３０の厚さより短い。さらに、第２および第３のモーターユニット１２、１３のモーター２０同士の第２の方向Ｄ２に沿う最長の距離Ｈは、アンプ部３０の厚さより短い。アーム本体４０の外縁と第２および第３のモーターユニット１２、１３のモーター２０との間、並びに第２および第３のモーターユニット１２、１３のモーター２０同士の間には、アンプ部３０が設けられる隙間がない。結果として第２アームＡ２の第２の方向Ｄ２に沿う寸法を小さくできる。また、アンプ部３０は、モーター２０に対して、第１の方向Ｄ１に配置される。
なお、本実施形態において、第３のモーターユニット１３のモーター２０の外形と、その側部に位置するアーム本体４０の外縁とは、平行となっている。したがって、第３のモーターユニット１３とアーム本体４０の外縁において、最短の距離ｊ２と最長の距離ｈ２は、同一である。
【００５２】
第１〜第３のモーターユニット１１、１２、１３において、アンプ基板３１の法線方向Ｎ１１、Ｎ１２、Ｎ１３と第１の方向Ｄ１とがなす角度θ１１、θ１２、θ１３は、０°以上４５°以下とすることが好ましく、５°以上２０°以下とすることがより好ましい。なお、第３のモーターユニット１３のアンプ基板３１の法線方向Ｎ１３は、第１の方向Ｄ１と平行であるため、角度θ１３は、０°である。また、第２および第３のモーターユニット１２、１３について、上記の角度範囲における正の角度は、第２軸ＡＸ２から離れるに従い第１の直線Ｌ１に近づく方向の角度である。一方で、第１のモーターユニット１１について、第２軸ＡＸ２とモーター２０のシャフト２１の中心軸が一致するため、上記角度範囲における角度の正負は、問わない。
【００５３】
角度θ１１、θ１２、θ１３を０°以上、かつ４５°以下、より好ましくは２０°以下とすることで、第２の方向Ｄ２に沿う第２アームＡ２の寸法を小さくすることができる。角度θ１１、θ１２を、５°以上とすることで、ケーブル３７を含めて、第１および第２のモーターユニット１１、１２の第２の方向Ｄ２に沿う寸法を小さくすることが可能となる。さらに、第２のモーターユニット１２の角度θ１２を、５°以上とすることで、法線方向Ｎ１１、Ｎ１２は、第２軸ＡＸ２から離れるに従い第１の直線Ｌ１に近づく方向に傾く。これにより、図４に示すように平面視におけるアーム本体４０の外形には、第１の直線Ｌ１に沿って、第２軸ＡＸ２から第３軸ＡＸ３に近づくに従って第２の方向Ｄ２に沿う幅を狭くクサビ形状部４０ａが形成される。クサビ形状部４０ａは、アーム本体４０の長手方向において、第２および第３のモーターユニット１２、１３から第３軸ＡＸ３側の先端までの領域に設けられている。クサビ形状部４０ａが設けられていることで、平面視におけるアーム本体４０の投影面積を小さくすることができ、結果として第２アームの可動エリアを広くできる。なお、本実施形態によれば、第２のモーターユニット１２の角度θ１２を５°以上とする一方で、第３のモーターユニット１３の角度θ１３は、０°である。このように、複数のモーターユニットが第２の方向に並ぶ場合、一方を５°以上とすることで、平面視におけるアーム本体４０の投影面積をより小さくする効果が期待できる。
【００５４】
図６は、アーム本体４０の部分斜視図であり、第１のモーターユニット１１の周囲を示す。
下カバー４５の側壁部４５ｂには、底板部４５ａからの突出高さが局所的に低くなった低壁部４５ｃが設けられている。低壁部４５ｃの上方には、下カバー４５の内側から外側に向かって水平方向（第２軸ＡＸ２と直交する方向）に開口する第１の開口部４６が形成されている。すなわち、下カバー４５の側壁部４５ｂには、第１の開口部４６が設けられている。また、低壁部４５ｃには、上端縁から下側に延びる切り欠き形状の第２の開口部４７が設けられている。第２の開口部４７は、第２軸ＡＸ２と直交する方向に開口する。
【００５５】
第１の開口部４６には、第１のモーターユニット１１のアンプ部３０が配置されている。また、第１のモーターユニット１１のアンプ部３０の一部は、第１の開口部４６を介してアーム本体４０の外部に位置する。なお、第１のモーターユニット１１は、アーム本体４０にアームカバー４１（図２参照）を取り付けた状態において、アームカバー４１に水平方向および上方から覆われる。
【００５６】
第１のモーターユニット１１のアンプ部３０は、ブラケット３２の第１および第２の脚板部３２ｃ、３２ｄを介してモーター２０に固定されている。第１の脚板部３２ｃは、ブラケット３２の上端側に位置し、第２の脚板部３２ｄは、ブラケット３２の下端側に位置する。
【００５７】
ブラケット３２の第１の脚板部３２ｃには、孔（不図示）が設けられ、当該孔を介してネジ２４がモーター２０側のネジ穴２３（図５参照）に挿入される。これにより、第１の脚板部３２ｃは、モーター２０に固定される。
第２の脚板部３２ｄには、下端縁から上側に向かって延びる切欠部３５が設けられている。切欠部３５の内側には、アンプ部３０をブラケット３２に固定するためのネジ（固定部材）２４が位置する。第２の脚板部３２ｄは、切欠部３５の内側に位置するネジ２４がモーター２０側のネジ穴２３に挿入されることでモーター２０に固定される。第２の脚板部３２ｄは、下カバー４５の低壁部４５ｃに対向する。低壁部４５ｃに設けられた第２の開口部４７は、ネジ２４の軸線に沿って形成されている。作業者は、第２の開口部４７にドライバーを挿入してネジ２４を回動させる。
【００５８】
本実施形態によれば、アーム本体４０の下カバー４５に第１の開口部４６が設けられ、第１の開口部４６を介してアンプ部３０の一部が平面視でアーム本体４０の外部に位置する。したがって、平面視でアーム本体４０の内側に第１のモーターユニット１１のアンプ部３０を位置させるために、アンプ部３０の外側に側壁部４５ｂを延ばす場合と比較すると、アーム本体４０をコンパクトに形成できる。結果として、アーム本体４０の可動エリアを広くできる。
なお、本実施形態においては、第１のモーターユニット１１のアンプ部３０の一部が、アーム本体４０の外部に位置する場合を例示した。しかしながら、アンプ部３０またはモーター２０の少なくとも一部が、平面視でアーム本体４０の外部に位置するものであれば、コンパクト化の効果を奏することができる。また、本実施形態においては、アンプ部３０とモーター２０とが互いに接続されモーターユニットを構成している場合について例示した。しかしながら、複数のモーターユニットのうち何れかについて、アンプ部３０とモーター２０とが別々にアーム本体４０に設けられている場合であっても、アンプ部３０またはモーター２０の少なくとも一部が、平面視でアーム本体４０の外部に位置するものであれば、コンパクト化の効果を奏することができる。さらに、複数のモーター２０又はアンプ部３０がアーム本体４０の外側に位置していてもよい。
また、本実施形態において、第１の開口部４６は、側壁部４５ｂの上端から下側に切り欠き状に形成されているが、第１の開口部４６は、側壁部４５ｂを厚さ方向に貫通する貫通孔であってもよい。
【００５９】
本実施形態によれば、平面視でアンプ部３０がアーム本体４０の外部に位置することで、メンテナンス時に作業者のアクセスを容易とすることができる。また、アンプ部３０の第２の脚板部３２ｄにおける固定は、第２の脚板部３２ｄの切欠部３５を通過するネジ２４によりなされている。したがって、アンプ部３０は、ネジ２４を緩めて上側（一方向）に移動させることで、容易に取り外される。
なお、本実施形態において、第１の脚板部３２ｃには切欠部が設けられておらず、第１の脚板部３２ｃの孔にネジ２４が挿通されている。したがって、アンプ部３０を取り外す際には、第１の脚板部３２ｃを固定するネジ２４を抜く必要がある。第１の脚板部３２ｃにおいても孔に代えて切欠部を設けることでアンプ部３０をモーター２０から取り外す工程をさらに容易としてもよい。
また、本実施形態において、アンプ部３０とモーター２０とを固定する固定部材としてネジ２４を採用する場合について説明した。固定部材としては、その他にモーター２０から延びる打ち込みピンと止め輪の組み合わせなどを用いてもよい。
【００６０】
本実施形態によれば、第１のモーターユニット１１のアンプ部３０がアーム本体４０の外部に位置することで、アンプ部３０の放熱効率を高めることができる。アーム本体４０の内部は、複数のモーター２０および複数のアンプ部３０が集中して配置されているため、熱が籠りやすい。また、第１のモーターユニット１１は、回動軸体２を駆動させるため大きなトルクを必要とし作動電流が大きくなりやすく発熱しやすい。第１のモーターユニット１１のアンプ部３０をアーム本体４０の外側に配置することで、発熱の大きなアンプ部３０を他の熱源（他のモーターおよび他のアンプ部）から離間させて放熱効率を高めることができる。
【００６１】
また、図３に示すように、本実施形態によれば、アームカバー４１とアーム本体４０との間には、隙間Ｄが設けられている。アーム本体４０がアンプ部３０の外側に位置することで、隙間Ｄから流入した空気がアンプ部３０を直接的に冷却する。さらに、本実施形態によれば、アームカバー４１に通気口４１ａが設けられているため、流入した空気を上側から排出することが可能となり、アンプ部３０を冷却する空気の循環を形成できる。これにより、アンプ部３０のさらなる冷却効率の向上が期待できる。また、通気口４１ａは、アンプ部３０の直上に位置するため、アンプ部３０で温められた空気を効率よく排出できる。
なお、アームカバー４１の通気口４１ａの構成は、本実施形態に例示した以外に、例えば、第２軸ＡＸ２の周方向に延びるアームカバー４１の側面に複数設けられていてもよい。この場合は、第２アームＡ２が動作する度に、第２アームＡ２の内部に通気口を介して空気を取り入れることができる。
さらに、図３に二点鎖線で示すように、アームカバー４１には、隙間Ｄおよび通気口４１ａを外側から覆うフィルター４８が設けられていてもよい。フィルター４８は、第２アームＡ２の内部側に位置していてもよい。フィルター４８は、第２アームＡ２の内部から外部に又は外部から内部に埃等が移動することを抑制する。これにより、クリーンルーム等で使用可能なロボット１を提供できる。加えて、隙間Ｄおよび通気口４１ａをパッキン等で覆うことで、第２アームＡ２の内部の気密性を高めた構造を採用してもよい。
【００６２】
（変形例１）
図７は、変形例１の第２アームＡ２Ａの平面図である。
本変形例の第２アームＡ２Ａは、上述の実施形態の第２アームＡ２と比較して、アンプ部３０の配置が主に異なる。なお、上述の実施形態と同一態様の構成要素については、同一符号を付し、その説明を省略する。
【００６３】
第２アームＡ２Ａは、第１のモーターユニット１１Ａ、第２のモーターユニット１２Ａおよび第３のモーターユニット１３が設けられている。第１〜第３のモーターユニット１１Ａ、１２Ａ、１３は、それぞれモーター２０およびアンプ部３０を有する。ここで、第１のモーターユニット１１Ａのアンプ部３０を第２のアンプ部３０Ｂと呼び、第２のモーターユニット１２Ａのアンプ部３０を第１のアンプ部３０Ａと呼ぶ。このとき、第１および第２のアンプ部３０Ａ、３０Ｂは、ともに第２のモーターユニット１２Ａのモーター２０に固定されている。
【００６４】
図８は、第２のモーターユニット１２Ａの側面図である。
第２のモーターユニット１２Ａのモーター２０は、第１の面２０ａに第１のアンプ部３０Ａが取り付けられており、第３の面２０ｃに、第２のアンプ部３０Ｂが取り付けられている。すなわち、第２のモーターユニット１２Ａにおいて、モーター２０の第１の面２０ａに設けられたネジ穴（第１の着脱部）２３には、第１のアンプ部３０Ａが着脱可能に取り付けられ、第３の面２０ｃに設けられたネジ穴（第２の着脱部）２３には、第２のアンプ部３０Ｂが着脱可能に取り付けられている。
【００６５】
本変形例によれば、モーター２０が複数の取り付け位置（第１〜第４の面２０ａ、２０ｂ、２０ｃ、２０ｄ）を有することで、１つのモーター２０に複数のアンプ部３０を取り付けることができる。これにより、第２アームＡ２Ａ内において、部材配置の自由度を高めることができ、結果として第２アームＡ２Ａのコンパクト化を図ることができる。
【００６６】
本変形例によれば、第１のアンプ部３０Ａが取り付けられる第１の面２０ａと、第２のアンプ部３０Ｂが取り付けられる第３の面２０ｃとの間に第２のモーターユニット１２Ａのモーター（第１のモーター）２０のシャフト（回動軸）２１が設けられている。すなわち、第２のモーターユニット１２Ａのモーター２０に対して、第１および第２のアンプ部３０Ａ、３０Ｂは、互いに反対方向に配置されている。これにより、第１および第２のアンプ部３０Ａ、３０Ｂ並びにモーター２０は、平面視で一方向に配列された構成となる。第２アームＡ２Ａは、幅方向（短手方向）に大きくなると可動範囲が狭まる。一方で第２アームＡ２Ａは、長手方向には、収容スペースを確保しやすい。第１および第２のアンプ部３０Ａ、３０Ｂ並びにモーター２０の配列方向を、第２アームＡ２Ａの長手方向に沿わせるように配置することで、第２アームＡ２Ａの幅寸法を小さくすることができる。
【００６７】
第１および第２のアンプ部３０Ａ、３０Ｂのブラケット３２は、放熱効率が高くヒートシンクとして機能する。本変形例によれば、動作頻度が高い又は動作トルクが大きいモーター２０に複数のアンプ部（第１および第２のアンプ部３０Ａ、３０Ｂ）を設けて放熱させることで、モーター２０の動作効率を高めることができる。
【００６８】
（変形例２）
図９は、変形例２のモーターユニット１２Ｂの側面図である。
本変形例のモーターユニット１２Ｂは、変形例１のモーターユニット１２Ａと同様に、１つのモーター２０が２つのアンプ部３０、１３０を支持する。
【００６９】
モーターユニット１２Ｂのモーター２０の上面１４および第１〜第４の面２０ａ、２０ｂ、２０ｃ、２０ｄには、それぞれモーター２０を固定するためのネジ穴（着脱部）２３が設けられている。本変形例において、モーター２０は、第１の面２０ａのネジ穴２３に一方のアンプ部３０が固定されており、上面１４のネジ穴２３に他方のアンプ部１３０が固定されている。
【００７０】
本変形例によれば、モーター２０の上面１４にアンプ部１３０を固定することで、第２アーム内においてモーター２０の上方の空間を有効に利用することができ、結果として第２アームＡ２をコンパクト化できる。
【００７１】
（変形例３）
図１０は、変形例３のモーターユニット１２Ｃの側面図である。
本変形例のモーターユニット１２Ｃは、変形例１のモーターユニット１２Ａと同様に、１つのモーター２０が２つのアンプ部（第１のアンプ部２３０Ａおよび第２のアンプ部２３０Ｂ）を支持する。
【００７２】
第１のアンプ部２３０Ａは、モーターユニット１２Ｃのモーター（第１のモーター）２０を駆動する。また、第２のアンプ部２３０Ｂは、モーターユニット１２Ｃのモーター２０とは異なるモーター（第２のモーター）２０を駆動する。なお、第１および第２のアンプ部２３０Ａ、２３０Ｂと、第１および第２のアンプ部２３０Ａ、２３０Ｂに駆動されるモーター２０の関係は、上述の関係と逆であってもよい。また、第１および第２のアンプ部２３０Ａ、２３０Ｂが、ともに異なるモーター２０を駆動するものであってもよい。
【００７３】
モーターユニット１２Ｃのモーター２０の第１の面２０ａに設けられたネジ穴２３には、第１のアンプ部２３０Ａが固定されている。すなわち、モーター（第１のモーター）２０は、第１のアンプ部２３０Ａを着脱可能とするネジ穴（第１の着脱部）２３を有する。
【００７４】
第１のアンプ部２３０Ａには、第２のアンプ部２３０Ｂを着脱可能とするネジ穴（第３の着脱部）３８が設けられている。第２のアンプ部２３０Ｂは、第１のアンプ部２３０Ａのネジ穴３８にネジ３９により固定されている。すなわち、第２のアンプ部２３０Ｂは、第１のアンプ部２３０Ａを介してモーター２０に支持されている。
【００７５】
本変形例によれば、モーター２０が複数のアンプ部（第１および第２のアンプ部２３０Ａ、２３０Ｂ）を重ね合わせて支持することで、第２アームＡ２内において、部材配置の自由度を高めることができる。これにより、第２アームＡ２のコンパクト化を図ることができる。
また、本変形例によれば、第１および第２のアンプ部２３０Ａ、２３０Ｂ並びにモーター２０は、平面視で一方向に配列された構成となる。第１および第２のアンプ部２３０Ａ、２３０Ｂ並びにモーター２０の配列方向を、第２アームＡ２の長手方向に沿わせるように配置することで、第２アームＡ２の幅寸法を小さくすることができる。
【００７６】
本変形例において、第２のアンプ部２３０Ｂは、第１のアンプ部（介在部材）２３０Ａを介してモーター２０に固定されている。第１のアンプ部２３０Ａは、モーター２０の第１の面２０ａに設けられたネジ穴（着脱部）２３に固定されている。したがって、ネジ穴２３と第２のアンプ部２３０Ｂとの間には、介在部材としての第１のアンプ部２３０Ａが設けられている。このように、アンプ部は、介在部材を介してモーター２０に固定されていてもよい。ここでは、第１のアンプ部２３０Ａが介在部材として機能する場合を例示したが、介在部材は別途用意された部材であってもよい。
【００７７】
（第２実施形態）
図１１は、第２実施形態の第２アームＡ２Ｂの平面図である。
本実施形態の第２アームＡ２Ｂは、第１実施形態の第２アームＡ２と比較して、アーム本体３４０に設けられたモーターユニットの数が異なる。なお、上述の実施形態と同一態様の構成要素については、同一符号を付し、その説明を省略する。
【００７８】
第２アームＡ２Ｂは、アーム本体３４０と、第１のモーターユニット３１１と、第２のモーターユニット３１２と、第２軸（回動軸）ＡＸ２に沿って延びる回動軸体２と、第３軸（作動軸）ＡＸ３に沿って延びる作動軸体３と、を有する。アーム本体３４０は、第１および第２のモーターユニット３１１、３１２、作動軸体３並びに回動軸体２を保持する。
【００７９】
第１および第２のモーターユニット３１１、３１２は、それぞれモーター２０およびアンプ部３０を有する。第１のモーターユニット３１１は、アーム本体３４０に対して回動軸体２を回動駆動する。第２のモーターユニット３１２は、タイミングベルト３１５を介してボールネジナットを回動することで作動軸体３を昇降する。
【００８０】
平面視において、第２のモーターユニット３１２のモーター２０とアーム本体３４０の外縁との、第２の方向Ｄ２に沿う最短の距離ｊは、アンプ部３０の厚さ（すなわち、アンプ基板３１（図５参照）の法線方向におけるアンプ部３０の長さ）より短い。これにより、モーター２０とアーム本体３４０の外縁との距離を短くして、アーム本体３４０の第２の方向Ｄ２に沿う寸法を小さくすることができる。
平面視において、第２のモーターユニット３１２のモーター２０とアーム本体３４０の外縁との、第２の方向Ｄ２に沿う最長の距離ｈは、アンプ部３０の厚さより短い。したがって、アーム本体３４０の外縁と第２のモーターユニット３１２のモーター２０との間には、アンプ部３０が設けられる隙間がない。結果として第２アームＡ２Ｂの第２の方向Ｄ２に沿う寸法を小さくできる。
【００８１】
（第３実施形態）
図１２は、第３実施形態の第２アームＡ２Ｃの平面模式図である。
本実施形態の第２アームＡ２Ｃは、第１実施形態の第２アームＡ２と比較して、アーム本体４４０に設けられたモーター４２０の構成が異なる。なお、上述の実施形態と同一態様の構成要素については、同一符号を付し、その説明を省略する。
【００８２】
第２アームＡ２Ｃは、アーム本体４４０と、第１のモーターユニット１１と、第２のモーターユニット４１２と、第３のモーターユニット４１３と、第２軸（回動軸）ＡＸ２に沿って延びる回動軸体２と、第３軸（作動軸）ＡＸ３に沿って延びる作動軸体３と、を有する。
【００８３】
第１のモーターユニット１１は、第１の実施形態と同様の構成を有する。第２および第３のモーターユニット４１２、４１３は、それぞれモーター４２０およびアンプ部４３０を有する。第２のモーターユニット４１２は、タイミングベルト（図示略）を介してボールネジナットを回動することで作動軸体３を昇降する。また、第３のモーターユニット４１３は、タイミングベルト（図示略）を介して作動軸体３を第３軸ＡＸ３周りに回動する。第２のモーターユニット４１２と第３のモーターユニット４１３とは、第２の方向Ｄ２に沿って並んで配置されている。
【００８４】
第２および第３のモーターユニット４１２、４１３のモーター４２０は、平面視で矩形状を有する。モーター４２０の４つの隅部には、凸部４２０ａが設けられている。凸部４２０ａは、第２の方向Ｄ２に沿って突出する。
【００８５】
第２のモーターユニット４１２のアンプ部４３０は、第２のモーターユニット４１２のモーター４２０に対し第２の方向Ｄ２に配置されている。また、このアンプ部４３０は、モーター４２０の凸部４２０ａ同士の間に位置する。
【００８６】
第３のモーターユニット４１３のアンプ部４３０は、第３のモーターユニット４１３のモーター４２０に対し第２の方向Ｄ２であって第２のモーターユニット４１２のモーター４２０との間に配置されている。また、このアンプ部４３０は、モーター４２０の凸部４２０ａ同士の間に位置する。
【００８７】
平面視において、第２のモーターユニット４１２のモーター４２０とアーム本体４４０の外縁との、第２の方向Ｄ２に沿う最短の距離ｊ３は、アンプ部４３０の厚さｋより短い。同様に第３のモーターユニット４１３のモーター４２０とアーム本体４４０の外縁との、第２の方向Ｄ２に沿う最短の距離ｊ３は、アンプ部４３０の厚さｋより短い。最短の距離ｊ３を構成する隙間は、モーター４２０の凸部４２０ａとアーム本体４４０の外縁との間に位置される。これにより、モーター４２０とアーム本体４４０の外縁との距離を短くして、アーム本体４４０の第２の方向Ｄ２に沿う寸法を小さくすることができる。
【００８８】
平面視において、第２および第３のモーターユニット４１２、４１３のモーター４２０同士の第２の方向Ｄ２に沿う最短の距離Ｊ３は、アンプ部４３０の厚さｋより短い。最短の距離Ｊ３を構成する隙間は、第２および第３のモーターユニット４１２、４１３のモーター４２０の凸部４２０ａ同士の間に位置する。これにより、第２および第３のモーターユニット４１２、４１３のモーター４２０同士の距離を短くして、アーム本体４４０の第２の方向Ｄ２に沿う寸法を小さくすることができる。
またモーター４２０の凸部４２０ａの間には凹部が構成される。凹部は、例えば、モーター４２０の不要なスペースを凹ませることで形成される。すなわち本実施形態によれば、モーター４２０の不要なスペースを凹部にしてアンプ部４３０を配置することで、アンプ部４３０を第２の方向Ｄ２に配置した場合であっても、第２アームＡ２Ｃの短手方向に寸法を小さくできる。
【００８９】
本実施形態に示すように、モーター４２０に対してアンプ部４３０が、第２の方向に配置される場合であっても、最短の距離Ｊ３、ｊ３をアンプ部４３０の厚さｋより短くすることで、アーム本体４４０の小型化に一定の効果を奏することができる。
【００９０】
以上に、本発明の様々な実施形態を説明したが、各実施形態における各構成およびそれらの組み合わせ等は一例であり、本発明の趣旨から逸脱しない範囲内で、構成の付加、省略、置換およびその他の変更が可能である。また、本発明は実施形態によって限定されることはない。
【００９１】
なお、上述の実施形態において、ロボットは水平多関節ロボットである場合を例示した。ロボットは、スカラロボットに代えて、垂直多関節ロボットや直角座標ロボット等の他のロボットであってもよい。なお、垂直多関節ロボットは、１つのマニピュレーターを備える単腕ロボットであってもよく、２つのマニピュレーターを備える双腕ロボット（２つのマニピュレーターを備える複腕ロボット）であってもよく、３以上のマニピュレーターを備える複腕ロボットであってもよい。また、直角座標ロボットは、例えば、ガントリロボットである。
また、上述の実施形態において、第２アームに設けられたモーターユニットについて主に説明した。第２アームに設けられたモーターユニットと同様の構成は、基台の内部のモーターユニットにも採用することができる。
また、上述の各実施形態において、モーターとアンプ部は、モーターユニットとして一体的に構成されている場合について主に説明した。しかしながら、各実施形態において、複数のアンプ部のうち何れかが、モーターには固定されておらずアーム本体に直接的に取り付けられた構成としてもよい。また、各実施形態において、複数のアンプ部のうち何れかが、モーターおよびアーム本体それぞれに固定されていてもよい。
【符号の説明】
【００９２】
１…ロボット、３…作動軸体、４，２０，４２０…モーター、１１，１２，１２Ａ，１２Ｂ，１２Ｃ，１３，１９，３１１，３１２，４１２，４１３…モーターユニット、２１…シャフト（回動軸）、２３，３８…ネジ穴（着脱部）、２４…ネジ（固定部材）、３０，３０Ａ，３０Ｂ，１３０，２３０Ａ，２３０Ｂ，４３０…アンプ部、３１…アンプ基板、４０，３４０，４４０…アーム本体、４１…アームカバー、４６…第１の開口部、Ａ２，Ａ２Ａ，Ａ２Ｂ，Ａ２Ｃ…第２アーム（アーム）、ＡＸ１…第１軸、ＡＸ２…第２軸（回動軸）、ＡＸ３…第３軸（作動軸）、Ｄ…隙間、Ｄ１…第１の方向、Ｄ２…第２の方向、Ｈ，ｈ，ｈ１，ｈ２，Ｊ，Ｊ３，ｊ，ｊ１，ｊ２，ｊ３…距離、Ｎ１１，Ｎ１２，Ｎ１３…法線方向
【図１】
2018039098.tif 000003
【図２】
2018039098.tif 000004
【図３】
2018039098.tif 000005
【図４】
2018039098.tif 000006
【図５】
2018039098.tif 000007
【図６】
2018039098.tif 000008
【図７】
2018039098.tif 000009
【図８】
2018039098.tif 000010
【図９】
2018039098.tif 000011
【図１０】
2018039098.tif 000012
【図１１】
2018039098.tif 000013
【図１２】
2018039098.tif 000014